(57)【要約】【課題】発信時に、最適な電話会社を用いて転送発信することが可能な電話交換装置を提供する。【解決手段】この電話交換装置１は、所定の場所に固定的に設置され、予め設定された複数のキャリア（電話会社）のそれぞれに属するユーザの電話番号を用いて発着信可能な３Ｇモジュール１８および１９と、ユーザが携帯している携帯電話機２からの着信の際に、ユーザにより入力された転送先の電話番号が属するキャリア（電話会社）と同じキャリアを予め設定された複数のキャリアの中から識別するとともに、転送先の電話番号が属するキャリア（キャリアＡ）と同一のキャリア（キャリアＡ）のユーザの電話番号Ａを用いて３Ｇモジュール１８または１９に転送発信させるＣＰＵ１１とを備える。【選択図】図１
2010283639.tif 000002
【特許請求の範囲】
【請求項１】
所定の場所に固定的に設置され、予め設定された複数の電話会社のそれぞれに属するユーザの電話番号を用いて発着信可能な発着信モジュールと、
少なくともユーザが携帯している携帯電話機からの着信の際に、前記ユーザにより入力された転送先の電話番号が属する電話会社と同じ電話会社を前記予め設定された複数の電話会社の中から識別するとともに、前記転送先の電話番号が属する電話会社と同一の電話会社のユーザの電話番号を用いて前記発着信モジュールに転送発信させる制御部とを備える、電話交換装置。
【請求項２】
前記転送先の電話番号が前記予め設定された複数の電話会社のうちいずれの電話会社に属するかを識別するために、電話番号と、前記予め設定された複数の電話会社とが対応付けられた第１テーブルが記憶された記憶部をさらに備える、請求項１に記載の電話交換装置。
【請求項３】
前記記憶部には、少なくとも前記予め設定された複数の電話会社と、前記複数の電話会社のそれぞれに属するユーザの電話番号とが対応付けられた第２テーブルが記憶されており、
前記制御部は、前記第１テーブルを用いて前記転送先の電話番号が前記複数の電話会社のうちいずれの電話会社に属するかを識別するとともに、前記第２テーブルを用いて識別された前記転送先の電話番号が属する電話会社と同一の電話会社のユーザの電話番号を取得するように構成されている、請求項２に記載の電話交換装置。
【請求項４】
前記電話交換装置には、固定電話機が接続されており、
前記制御部は、前記固定電話機の電話番号に前記ユーザが携帯している携帯電話機から着信がされた場合に、前記ユーザにより入力された前記転送先の電話番号が前記複数の電話会社のうちいずれの電話会社に属するのかを識別するとともに、前記転送先の電話番号が属する電話会社と同一の電話会社のユーザの電話番号を用いて前記発着信モジュールに転送発信させる制御を行うように構成されている、請求項１〜３のいずれか１項に記載の電話交換装置。
【請求項５】
前記制御部は、前記複数の電話会社のそれぞれに属する前記ユーザの電話番号宛の着信を前記発着信モジュールが受けた場合に、前記複数の電話会社のそれぞれに属する前記ユーザの電話番号宛の着信を、前記ユーザが携帯している携帯電話機に転送する制御を行うように構成されている、請求項１〜４のいずれか１項に記載の電話交換装置。
【請求項６】
前記発着信モジュールは、携帯電話機に装着可能な電話番号認識カードを装着可能に構成されており、
前記制御部は、前記発着信モジュールに前記電話番号認識カードが装着されている場合に、前記電話番号認識カードに対応する電話番号を使用して前記発着信モジュールに発着信させることが可能なように構成されている、請求項５に記載の電話交換装置。
【請求項７】
前記制御部は、前記ユーザが携帯している携帯電話機からの着信の後、前記ユーザにより所定の操作が行われた場合に、前記ユーザにより入力された転送先の電話番号を受け付けるとともに、前記転送先の電話番号が属する電話会社と同一の電話会社の電話番号を用いて前記発着信モジュールに発信させる制御を行うように構成されている、請求項１〜６のいずれか１項に記載の電話交換装置。
【請求項８】
前記電話交換装置には、固定電話機が接続されており、
前記ユーザが携帯している携帯電話機から前記固定電話機の電話番号に着信があった場合に、前記発着信モジュールを用いて転送発信を行うか、または、前記固定電話機で通話するかをユーザにより選択可能に構成されている、請求項１〜７のいずれか１項に記載の電話交換装置。
【請求項９】
ユーザが携帯している携帯電話機と、
複数の電話会社のそれぞれに属するユーザの電話番号を用いて発着信可能な発着信モジュールと、少なくとも前記ユーザが携帯している携帯電話機からの着信の際に、前記ユーザにより入力された前記転送先の電話番号が前記複数の電話会社のうちいずれの電話会社に属するのかを識別するとともに、前記転送先の電話番号が属する電話会社と同一の電話会社のユーザの電話番号を用いて前記発着信モジュールに転送発信させる制御部とを含む電話交換装置とを備える、電話交換システム。
【発明の詳細な説明】
【技術分野】
【０００１】
この発明は、電話交換装置および電話交換システムに関し、特に、着信した電話を転送可能な電話交換装置および電話交換システムに関する。
【背景技術】
【０００２】
従来、着信した電話を転送可能な電話交換装置および電話交換システムなどが知られている（たとえば、特許文献１参照）。
【０００３】
また、近年、携帯電話会社（キャリア）では、同じキャリアの携帯電話ユーザと通話する場合には、通話料が大幅に割引されるなどのサービスが行われている。この場合、異なるキャリアの携帯電話ユーザと通話する場合には、同じキャリアの携帯電話ユーザと通話する場合と比べて通話料が高額になる。このような状況から、１つのキャリアの携帯電話機を用いる場合と比べて、キャリア毎の携帯電話機を所有し、通話相手のキャリアに応じて携帯電話機を使い分ける方が経済性が有利な場合がある。しかしながら、通信相手のキャリア（携帯電話会社）がわからない場合には、キャリアを使い分けることが難しい。このため、通信相手のキャリアがわからない場合にも、最適なキャリアを選択して転送発信可能な電話交換装置が望まれている。
【０００４】
上記特許文献１には、携帯端末と同一の電話番号で着信を受けることが可能な通信装置や端末を備えるデータカードを用いた認証方式（電話交換システム）が開示されている。上記特許文献１によるデータカードを用いた認証方式は、携帯端末の認証演算をユーザの通信装置においても行う方式であり、携帯端末に着信があった場合にも、通信装置に転送させることにより、通信装置に着信させるように構成されている。これにより、ユーザが携帯端末にあった着信を受け取ることができない場合にも、通信装置に着信させることが可能となるので、通信装置に接続された電話機などで携帯端末にあった着信を受け取ることが可能である。
【先行技術文献】
【特許文献】
【０００５】
【特許文献１】特開２０００−１３４６６１号公報
【発明の概要】
【発明が解決しようとする課題】
【０００６】
しかしながら、上記特許文献１に開示されたデータカードを用いた認証方式（電話交換システム）では、携帯端末に着信があった場合にも、通信装置に転送させることにより、通信装置に接続された電話機などで携帯端末にあった着信を受け取ることが可能である一方で、キャリア（携帯電話会社）を使い分ける点については開示も示唆もされていない。このため、上記特許文献１に開示されたデータカードを用いた認証方式では、最適なキャリア（電話会社）を選択することができないと考えられる。
【０００７】
この発明は、上記のような課題を解決するためになされたものであり、この発明の１つの目的は、少なくとも発信時に、最適な電話会社を選択して転送発信することが可能な電話交換装置および電話交換システムを提供することである。
【課題を解決するための手段および発明の効果】
【０００８】
この発明の第１の局面による電話交換装置は、所定の場所に固定的に設置され、予め設定された複数の電話会社のそれぞれに属するユーザの電話番号を用いて発着信可能な発着信モジュールと、少なくともユーザが携帯している携帯電話機からの着信の際に、ユーザにより入力された転送先の電話番号が属する電話会社と同じ電話会社を予め設定された複数の電話会社の中から識別するとともに、転送先の電話番号が属する電話会社と同一の電話会社のユーザの電話番号を用いて発着信モジュールに転送発信させる制御部とを備える。なお、本発明における「ユーザ」は、ユーザ自身またはユーザの家族などの関係者も含む広い概念である。
【０００９】
この発明の第１の局面による電話交換装置では、上記のように、少なくともユーザが携帯している携帯電話機からの着信の際に、ユーザにより入力された転送先の電話番号が属する電話会社と同じ電話会社を予め設定された複数の電話会社の中から識別する制御部を設けることによって、ユーザが転送先の電話番号がいずれの電話会社に属するか分からない場合にも、転送先の電話番号が属する電話会社と同じ電話会社を自動的に識別して接続するべき電話会社を決定することができる。これにより、少なくとも発信時に、最適な電話会社を選択して転送発信することができる。その結果、ユーザが同一の電話会社間での通話の割引サービスを受けている場合に、通話料金を低減することができる。また、複数の電話会社のそれぞれに属する電話番号を用いて発着信可能な発着信モジュールを設けることによって、容易に、転送先の電話番号が属する電話会社と同一の電話会社の電話番号を選択して転送発信させることができる。
【００１０】
上記第１の局面による電話交換装置において、好ましくは、転送先の電話番号が予め設定された複数の電話会社のうちいずれの電話会社に属するかを識別するために、電話番号と、予め設定された複数の電話会社とが対応付けられた第１テーブルが記憶された記憶部をさらに備える。このように構成すれば、第１テーブルにより、容易に、転送先の電話番号が属する電話会社と同じ電話会社を自動的に識別して接続するべき電話会社を決定することができる。
【００１１】
この場合において、好ましくは、記憶部には、少なくとも予め設定された複数の電話会社と、複数の電話会社のそれぞれに属するユーザの電話番号とが対応付けられた第２テーブルが記憶されており、制御部は、第１テーブルを用いて転送先の電話番号が複数の電話会社のうちいずれの電話会社に属するかを識別するとともに、第２テーブルを用いて識別された転送先の電話番号が属する電話会社と同一の電話会社のユーザの電話番号を取得するように構成されている。このように構成すれば、第２テーブルにより、容易に、第１テーブルを用いて決定された転送先の電話番号の電話会社と同一の電話会社の電話番号を取得することができる。
【００１２】
上記第１の局面による電話交換装置において、好ましくは、電話交換装置には、固定電話機が接続されており、制御部は、固定電話機の電話番号に前記ユーザが携帯している携帯電話機から着信がされた場合に、ユーザにより入力された転送先の電話番号が複数の電話会社のうちいずれの電話会社に属するのかを識別するとともに、転送先の電話番号が属する電話会社と同一の電話会社のユーザの電話番号を用いて発着信モジュールに転送発信させる制御を行うように構成されている。このように構成すれば、たとえば、ユーザが携帯している携帯電話機の電話会社と固定電話との接続について、接続料金の割引サービスまたは無料サービスをユーザが受けている場合に、このようなサービスを利用して安価に転送発信することができる。
【００１３】
上記第１の局面による電話交換装置において、好ましくは、制御部は、複数の電話会社のそれぞれに属するユーザの電話番号宛の着信を発着信モジュールが受けた場合に、複数の電話会社のそれぞれに属するユーザの電話番号宛の着信を、ユーザが携帯している携帯電話機に転送する制御を行うように構成されている。このように構成すれば、ユーザが携帯している携帯電話機の電話番号に直接的に電話されなかった場合にも、ユーザが携帯している携帯電話機に転送されるので、ユーザが携帯している携帯電話機で着信することができる。
【００１４】
この場合において、好ましくは、発着信モジュールは、携帯電話機に装着可能な電話番号認識カードを装着可能に構成されており、制御部は、発着信モジュールに電話番号認識カードが装着されている場合に、電話番号認識カードに対応する電話番号を使用して発着信モジュールに発着信させることが可能なように構成されている。このように構成すれば、発着信モジュールに電話番号認識カードを挿入するだけで、容易に電話番号認識カードに対応する電話番号を使用することができるので、容易に発着信モジュールを用いて電話番号認識カードに対応する電話番号で発着信を行うことができる。
【００１５】
上記第１の局面による電話交換装置において、好ましくは、制御部は、ユーザが携帯している携帯電話機からの着信の後、ユーザにより所定の操作が行われた場合に、ユーザにより入力された転送先の電話番号を受け付けるとともに、転送先の電話番号が属する電話会社と同一の電話会社の電話番号を用いて発着信モジュールに発信させる制御を行うように構成されている。このように構成すれば、ユーザが転送したくない場合に、自動的に転送モードに切り替わることがないので、ユーザの意図と反して制御が行われるのを抑制することができる。
【００１６】
上記第１の局面による電話交換装置において、好ましくは、電話交換装置には、固定電話機が接続されており、ユーザが携帯している携帯電話機から固定電話機の電話番号に着信があった場合に、発着信モジュールを用いて転送発信を行うか、または、固定電話機で通話するかをユーザにより選択可能に構成されている。このように構成すれば、ユーザにより、容易に、転送発信を行うか、または、固定電話機で通話するかを選択することができる。
【００１７】
この発明の第２の局面による電話交換システムは、ユーザが携帯している携帯電話機と、複数の電話会社のそれぞれに属するユーザの電話番号を用いて発着信可能な発着信モジュールと、少なくともユーザが携帯している携帯電話機からの着信の際に、ユーザにより入力された転送先の電話番号が複数の電話会社のうちいずれの電話会社に属するのかを識別するとともに、転送先の電話番号が属する電話会社と同一の電話会社のユーザの電話番号を用いて発着信モジュールに転送発信させる制御部とを含む電話交換装置とを備える。
【００１８】
この発明の第２の局面による電話交換システムでは、上記のように、電話交換装置に、少なくともユーザが携帯している携帯電話機からの着信の際に、ユーザにより入力された転送先の電話番号が属する電話会社と同じ電話会社を予め設定された複数の電話会社の中から識別する制御部を設けることによって、ユーザが転送先の電話番号がいずれの電話会社に属するか分からない場合にも、転送先の電話番号が属する電話会社と同じ電話会社を自動的に識別して接続するべき電話会社を決定することができる。これにより、少なくとも発信時に、最適な電話会社を選択して転送発信することができる。その結果、ユーザが同一の電話会社間での通話の割引サービスを受けている場合に、通話料金を低減することができる。また、電話交換装置に、複数の電話会社のそれぞれに属する電話番号を用いて発着信可能な発着信モジュールを設けることによって、容易に、転送先の電話番号が属する電話会社と同一の電話会社の電話番号を選択して転送発信させることができる。
【図面の簡単な説明】
【００１９】
【図１】本発明の一実施形態による電話交換システムの構成を示したブロック図である。
【図２】図１に示した電話交換システムにおいてユーザからの着信を転送する流れを表わした図である。
【図３】図１に示した電話交換システムにおいて電話交換システムの３Ｇモジュールに挿入されたＳＩＭカードの電話番号宛の着信をユーザに転送する流れを表わした図である。
【図４】図１に示した電話交換システムの電話交換装置のＲＯＭに記憶されている電話番号とキャリアとが対応付けられたテーブルである。
【図５】図１に示した電話交換システムの電話交換装置のＲＯＭに記憶されている電話会社とユーザの電話番号とが対応付けられたテーブルである。
【図６】図１に示した電話交換システムの電話交換装置の３ＧモジュールにＳＩＭカードが挿入された際におけるＳＩＭカード認証フローを説明するためのフローチャートである。
【図７】図１に示した電話交換システムにおいてユーザが電話交換装置を介して転送発信する際におけるＣＰＵの処理フローを説明するためのフローチャートである。
【図８】図１に示した電話交換システムにおいて電話交換装置の携帯電話番号宛の着信をユーザが携帯しているの携帯電話機に転送発信する際におけるＣＰＵの処理フローを説明するためのフローチャートである。
【発明を実施するための形態】
【００２０】
以下、本発明の実施形態を図面に基づいて説明する。
【００２１】
まず、図１〜図５を参照して、本発明の一実施形態による電話交換システム１００の構成について説明する。
【００２２】
本発明の一実施形態による電話交換システム１００は、図１に示すように、自宅に設置され、複数の電話回線を発着信可能に構成された電話交換装置１と、ユーザの外出時に携帯して持ち歩き可能な携帯電話機２とにより主に構成されている。なお、携帯電話機２は、本発明の「ユーザが携帯している携帯電話機」の一例である。本実施形態の携帯電話機２には、ある所定のキャリア（携帯電話会社）Ｄに属するＳＩＭカード５０が挿入されており、ＳＩＭカード５０には、キャリアＤが割り当てた電話番号Ｄ（後述するＳＩＭＮｏ．０の電話番号）が記憶されている。これにより、携帯電話機２にキャリアＤが割り当てた電話番号Ｄを用いて着発信させることが可能となる。なお、本実施形態では、携帯電話機２は、ユーザがキャリア（携帯電話会社）Ｄと契約することにより取得している。
【００２３】
また、本実施形態による電話交換システム１００の電話交換装置１は、図２に示すように、ユーザが携帯している携帯電話機２から電話交換装置１に接続されているアナログ電話機（固定電話機）３が設置される自宅の固定電話番号Ｘに外線着信があった場合に、外線着信を保留する機能を有する。そして、外線着信を保留した状態で電話交換装置１は、アナログ電話機３などの内線電話、または、他人の外線電話機（たとえば、携帯電話機３０）に転送する機能を有する。また、本実施形態では、図３に示すように、電話交換装置１は、電話交換装置１に設けられた後述する３Ｇモジュール１８（図１参照）の電話番号Ａまたは３Ｇモジュール１９（図１参照）の電話番号Ｂに外線着信があった場合に、外線着信を保留する機能を有する。そして、外線着信を保留した状態で電話交換装置１は、ユーザが持ち歩いている携帯電話機２に転送する機能を有する。以下、本実施形態による電話交換システム１００の構成について詳細に説明する。
【００２４】
電話交換装置１は、図１に示すように、電話交換装置１などの制御を司るＣＰＵ１１と、固定電話番号Ｘ、後述するテーブル１２ａおよび１２ｂなどが格納された書き換え可能なフラッシュメモリなどからなるＲＯＭ１２と、ＲＡＭ１３と、外部ネットワークと接続可能なＷＡＮ（Ｗｉｄｅ  Ａｒｅａ  Ｎｅｔｗｏｒｋ）ポート１４と、ローカルエリアネットワーク（ＬＡＮ）と接続可能なＬＡＮポート１５と、後述するアナログ電話機３を接続可能なモジュラーポート１６と、電話交換装置１の状態などを表示可能なＬＣＤからなる表示部１７とを含んでいる。なお、ＣＰＵ１１は、本発明の「第１制御部」の一例であり、ＲＯＭ１２は、本発明の「記憶部」の一例である。また、固定電話番号Ｘは、本発明の「固定電話機の電話番号」の一例である。
【００２５】
ここで、本実施形態では、電話交換装置１は、さらに、３Ｇ（第３世代）携帯電話機用の電話番号が記憶されているＳＩＭカード５１および５２などを挿入可能な３Ｇモジュール１８および１９を含んでいる。ＳＩＭカード５１および５２は、それぞれ、ユーザがキャリア（携帯電話会社）ＡおよびＢと契約することによって取得する。このＳＩＭカード５１および５２は、それぞれ、本発明の「電話番号認識カード」の一例である。本実施形態のＳＩＭカード５１は、３Ｇモジュール１８に挿入されており、ＳＩＭカード５１には、キャリア（携帯電話会社）Ａが割り当てた電話番号Ａが記憶されている。これにより、電話交換装置１に、ＳＩＭカード５１が挿入された３Ｇモジュール１８を介して、キャリアＡが割り当てた電話番号Ａを用いて着発信させることが可能となる。また、本実施形態のＳＩＭカード５２は、３Ｇモジュール１９に挿入されており、ＳＩＭカード５２には、キャリア（携帯電話会社）Ｂが割り当てた電話番号Ｂが記憶されている。これにより、電話交換装置１に、ＳＩＭカード５２が挿入された３Ｇモジュール１９を介して、キャリアＢが割り当てた電話番号Ｂを用いて着発信させることが可能となる。
【００２６】
また、電話交換装置１のモジュラーポート１６には、アナログ電話機３が接続されている。なお、自宅に設置された電話交換装置１が固定電話番号Ｘで着信を受けた場合には、このアナログ電話機３により通話することが可能である。
【００２７】
３Ｇモジュール１８および１９は、それぞれ、挿入されたＳＩＭカード５１または５２の電話番号ＡまたはＢを用いて無線により着信可能となるように構成されている。そして、ＣＰＵ１１は、３Ｇモジュール１８および１９に着信された外線着信を保留するように構成されている。
【００２８】
また、本実施形態では、ＲＯＭ１２には、図４に示すように、後述する転送先の電話番号が予め設定された複数のキャリア（携帯電話会社）のうちいずれのキャリアに属するかを識別するために、電話番号と、予め設定された複数のキャリアとが対応付けられたテーブル１２ａが記憶されている。このテーブル１２ａの縦の列には、携帯電話番号の上５桁が順に配列されている。また、テーブル１２ａの横の行には、携帯電話番号の６桁目が０〜９に順に配列されている。そして、テーブル１２ａは、携帯電話番号の上５桁と６桁目との組み合わせによりキャリア（携帯電話会社）を識別可能に構成されている。なお、テーブル１２ａは、本発明の「第１テーブル」の一例である。
【００２９】
なお、携帯電話番号は、総務省により、各キャリアに予め割り振られており、各キャリアは、それぞれ、総務省より割り振られた携帯電話番号を各ユーザに割り振っている。具体的には、携帯電話番号は、携帯電話番号の最初の６桁の並び順毎に、所定のキャリアが割り振られている。たとえば、本実施形態では、最初の５桁の並びが「０９０１０」である場合、６桁目が０〜９のいずれであっても、かつ、７桁目以降が０〜９のいずれであっても、キャリアＤに属するように携帯電話番号が割り振られている。また、たとえば、本実施形態では、最初の５桁の並びが「０９０１３」である場合、６桁目が０〜８のいずれであっても、かつ、７桁目以降が０〜９のいずれであっても、キャリアＢに属するように携帯電話番号が割り振られている一方で、６桁目が９である場合には、キャリアＤに属するように携帯電話番号が割り振られている。このように、テーブル１２ａを設けることによって、ＣＰＵ１１に着信された携帯電話番号がいずれのキャリア（携帯電話会社）に属するかを判断させることが可能となる。
【００３０】
また、本実施形態では、書き換え可能なＲＯＭ１２には、図５に示すように、３Ｇモジュール１８および１９に挿入されているＳＩＭカードに対応する携帯電話番号が記憶されたテーブル１２ｂが記憶されている。なお、本実施形態では、３Ｇモジュール１８（ＳＩＭＮｏ．１）にＳＩＭカード５１および３Ｇモジュール１９（ＳＩＭＮｏ．２）にＳＩＭカード５２が挿入されている。また、ＲＯＭ１２のテーブル１２ｂには、３Ｇモジュール１８および１９に挿入されているＳＩＭカードに対応する携帯電話番号が属するキャリア（電話会社）が記憶されている。なお、携帯電話番号に対応するキャリアは、ＣＰＵ１１により、上記テーブル１２ａに基づいてテーブル１２ｂに記録されるように構成されている。また、テーブル１２ｂには、３Ｇモジュール１８および１９に挿入されているＳＩＭカード５１および５２に対応する識別番号のみならず、ユーザが持ち歩いている携帯電話機２に挿入されているＳＩＭカード５０の識別番号（ＳＩＭＮｏ．０）が記録されている。なお、テーブル１２ｂは、本発明の「第２テーブル」の一例である。
【００３１】
また、本実施形態では、図１に示すように、電話交換機１のＣＰＵ１１は、上記したように、ユーザが持ち歩いている携帯電話機２からの外線着信の際に、その外線着信を保留する機能を有する。そして、ＣＰＵ１１は、ユーザによる携帯電話機２の操作に伴って、ユーザが転送したい電話番号を受付可能に構成されている。ＣＰＵ１１は、テーブル１２ａを用いることにより、受け付けた転送先の電話番号が複数のキャリア（電話会社）のうちいずれのキャリア（電話会社）に属するのかを識別するように構成されている。そして、ＣＰＵ１１は、転送先の電話番号が属する電話会社（たとえば、キャリアＡ）と同一の電話会社のユーザの電話番号（たとえば、ＳＩＭＮｏ．１の電話番号０９０−１１・・・）をテーブル１２ｂから取得する（読み出す）ように構成されている。そして、ＣＰＵ１１は、テーブル１２ｂから取得したユーザの電話番号（たとえば、ＳＩＭＮｏ．１の電話番号０９０−１１・・・）を用いて３Ｇモジュール１８に転送発信させるように構成されている。
【００３２】
また、ＣＰＵ１１は、３Ｇモジュール１８および１９に挿入されているＳＩＭ５１または５２に対応する電話番号（ＳＩＭＮｏ．１またはＳＩＭＮｏ．２の電話番号）宛に着信があった場合に、そのＳＩＭＮｏ．１またはＳＩＭＮｏ．２の電話番号宛の着信をユーザの携帯電話機２に転送する機能を有する。この場合、ＣＰＵ１１は、固定電話番号Ｘを用いてその着信を転送発信するように構成されている。
【００３３】
次に、図１、図４、図５および図６を参照して、本実施形態による電話交換装置１の３Ｇモジュール１８および１９にＳＩＭカードが挿入された際におけるＣＰＵ１１のＳＩＭカード認証フローについて説明する。
【００３４】
まず、図６に示すように、ステップＳ１において、ＣＰＵ１１により、３Ｇモジュール１８および１９のいずれかにＳＩＭカードが挿入されたか否かが判断される。そして、３Ｇモジュール１８および１９のいずれかにＳＩＭカードが挿入されるまでステップＳ１の動作が繰り返される。そして、ステップＳ１において、３Ｇモジュール１８および１９のいずれかにＳＩＭカードが挿入されたと判断された場合には、ステップＳ２に進む。そして、ステップＳ２において、挿入されたＳＩＭカードから識別番号が取得され、ステップＳ３に進む。そして、ステップＳ３において、ＳＩＭカードが挿入された３Ｇモジュール１８および１９のいずれかから携帯基地局（図示せず）にＳＩＭカードの識別番号が送信される。
【００３５】
その後、ステップＳ４において、携帯基地局（図示せず）からの認証結果が受信され、認証がされたか否かが判断される。そして、ステップＳ４において、送信したＳＩＭカードの識別番号の認証が携帯基地局（図示せず）によりされなかった場合にはステップＳ５に進み、ステップＳ５においてエラーがＬＣＤ１７に表示され、ＳＩＭカードの認証フローが終了される。また、ステップＳ４において、送信したＳＩＭカードの識別番号の認証が携帯基地局（図示せず）によりされた場合には、ステップＳ６に進む。
【００３６】
その後、ステップＳ６において、携帯基地局（図示せず）からの認証を取得したと認識するとともに、ステップＳ７において、テーブル１２ｂ（図５参照）のＳＩＭカードが挿入された３Ｇモジュール１８および１９のいずれかの「ＳＩＭ」欄が「あり」に切り替えられる。そして、ステップＳ８において、テーブル１２ｂ（図５参照）の「電話番号」欄に挿入されたＳＩＭカードの携帯電話番号がコピーされ、ステップＳ９に進む。そして、ステップＳ９において、テーブル１２ｂの「キャリア」欄にＳＩＭカードに対応する携帯電話番号に属するキャリア（電話会社）が記録される。つまり、テーブル１２ａ（図４参照）を用いることによって、ＳＩＭカードに対応する携帯電話番号がいずれのキャリアに属するかが識別され、識別されたキャリアがテーブル１２ｂに記録（登録）される。
【００３７】
次に、図１、図２、図４、図５および図７を参照して、ユーザが本実施形態による携帯電話機２を用いることにより電話交換装置１を介して転送発信する際におけるＣＰＵ１１の処理フローについて説明する。
【００３８】
まず、図７に示すように、ステップＳ１１において、ＣＰＵ１１（図１参照）により、ユーザが持ち歩いている携帯電話機２の携帯電話番号Ｄ（ＳＩＭＮｏ．０）から自宅の固定電話番号Ｘに着信があったか否かが判断される。この判断は、固定電話番号Ｘに着信があるまで繰り返される。そして、ステップＳ１１において、自宅の固定電話番号Ｘに着信があったと判断された場合には、ステップＳ１２に進む。その後、ステップＳ１２において、音声案内が出力される。この音声案内は、他人の携帯電話番号に転送するための転送モードに切り替えるか否かをユーザに問いかけるために出力される。ユーザが携帯電話機２のキー（図示せず）を「♯３」と操作した場合には、転送モードに切り替えられると案内され、そうでない場合には、電話交換装置１に接続されているアナログ電話機３に転送されると案内される。なお、この音声案内は、ユーザが持ち歩いている携帯電話機２により受けることが可能である。
【００３９】
その後、ステップＳ１３において、ユーザにより携帯電話機２のキー（図示せず）が「♯３」と操作されたか否かが判断される。そして、ステップＳ１３において、携帯電話機２のキー（図示せず）が「♯３」と操作されていないと判断された場合には、後述するステップＳ２１に進む。また、ステップＳ１３において、携帯電話機２のキー（図示せず）が「♯３」と操作された場合には、ステップＳ１４に進む。
【００４０】
そして、ステップＳ１４において、転送モードの処理が開始され、ステップＳ１５に進む。その後、ステップＳ１５において、ユーザにより携帯電話機２によって入力された転送先の携帯電話番号が取得される。そして、ステップＳ１６において、取得された転送先の電話番号がテーブル１２ａ（図４参照）と照らし合わせられることにより、転送先の携帯電話番号が複数のキャリア（電話会社）のうちいずれのキャリアに属するかが識別される。
【００４１】
その後、ステップＳ１７において、識別された転送先の携帯電話番号が属するキャリアと同一のキャリア（たとえばキャリアＡ）のＳＩＭカード登録がテーブル１２ｂ（図５参照）にあるか否かが判断される。つまり、識別された転送先の携帯電話番号が属するキャリアと同一のキャリアのＳＩＭカードが３Ｇモジュール１８または１９に挿入されているか否かが判断される。そして、ステップＳ１７において、同一のキャリアのＳＩＭカード登録がないと判断された場合には、後述するステップＳ２０に進む。また、ステップＳ１７において、同一のキャリアのＳＩＭカード登録があると判断された場合には、ステップＳ１８に進む。そして、ステップＳ１８において、同一キャリア（たとえばキャリアＡ）のＳＩＭカード（たとえばＳＩＭカード５１）が挿入されている３Ｇモジュール１８または１９（たとえば３Ｇモジュール１８）を用いることにより、転送先の携帯電話番号に転送発信が行われる。
【００４２】
この場合、異なるキャリア間（たとえば、キャリアＤとキャリアＡまたはキャリアＤとキャリアＢとの間）の通話では所定の通信料金が発生するが、同一のキャリア間（たとえばキャリアＤ同士）では、無料通話プランなどの料金を大幅に割り引きできる契約を予めキャリア（たとえばキャリアＤ）などと結ぶことにより、電話料金が発生しないため、携帯電話料金の節約をすることが可能となる。また、ユーザの携帯電話機２から自宅の固定電話番号宛に通話する場合にも、ユーザの携帯電話機２と自宅の固定電話番号Ｘとの通話を無料にするなど、料金を大幅に割り引きできる契約を予めキャリア（たとえばキャリアＤ）などと結ぶことにより、電話料金が発生しないため、電話料金の節約をすることが可能となる。
【００４３】
その後、ステップＳ１９において、ユーザが持ち歩いている携帯電話機２と転送先の他人の携帯電話機（たとえば携帯電話機３０（図２参照））とが接続され、通話が継続しているか否かが判断される。そして、この判断は、通話が終了されるまで繰り返され、通話が終了されたと判断された場合には、転送発信する際におけるＣＰＵ１１の処理フローが終了される。
【００４４】
また、上記のようにステップＳ１７において同一のキャリアのＳＩＭカード登録がないと判断された場合には、ステップＳ２０において、同一のキャリアのＳＩＭカード登録がない旨の音声案内が行われ、その後、転送発信する際におけるＣＰＵ１１の処理フローが終了される。また、上記のようにステップＳ１３において携帯電話機２のキー（図示せず）が「♯３」と操作されていないと判断された場合には、ステップＳ２１において、ユーザからの携帯電話機２からの着信がアナログ電話機３に転送され、ステップＳ１９に進む。その後、上記と同様、ステップＳ１９において、ユーザが持ち歩いている携帯電話機２と転送先の他人の携帯電話機（たとえば携帯電話機３０（図２参照））とが接続され、通話が継続しているか否かが判断される。そして、この判断は、通話が終了されるまで繰り返され、通話が終了されたと判断された場合には、転送発信する際におけるＣＰＵ１１の処理フローが終了される。
【００４５】
次に、図１、図３、図４および図８を参照して、ユーザのＳＩＭカード５１または５２に記憶されている携帯電話番号宛の着信をユーザが持ち歩いている携帯電話機２に転送発信する際におけるＣＰＵ１１の処理フローについて説明する。
【００４６】
まず、図８に示すように、ステップＳ３１において、ＣＰＵ１１（図１参照）により、３Ｇモジュール１８および１９に挿入されているＳＩＭカード５１または５２に記憶されている携帯電話番号（たとえば電話番号ＡまたはＢ）宛に着信があったか否かが判断される。この判断は、ＳＩＭカード５１または５２に記憶されている携帯電話番号（たとえば電話番号ＡまたはＢ）宛に着信があるまで繰り返される。そして、ステップＳ３１において、ＳＩＭカード５１または５２に記憶されている携帯電話番号（たとえば電話番号ＡまたはＢ）宛に着信があったと判断された場合には、ステップＳ３２に進む。その後、ステップＳ３２において、音声案内が出力される。この音声案内は、ユーザが持ち歩いている携帯電話機２の携帯電話番号Ｄに転送するための転送モードに切り替えるか否かを発信者に問いかけるために出力される。発信者（たとえば図３の相手）が発信者の携帯電話機（たとえば携帯電話機３０）のキー（図示せず）を「♯１」と操作した場合には、転送モードに切り替えられると案内され、そうでない場合には、電話交換装置１に接続されているアナログ電話機３に転送されると案内される。
【００４７】
その後、ステップＳ３３において、発信者（たとえば図３の相手）により発信者の携帯電話機（たとえば携帯電話機３０）のキー（図示せず）が「♯１」と操作されたか否かが判断される。そして、ステップＳ３３において、発信者の携帯電話機のキー（図示せず）が「♯１」と操作されていないと判断された場合には、後述するステップＳ３９に進む。また、ステップＳ３３において、発信者の携帯電話機のキー（図示せず）が「♯１」と操作された場合には、ステップＳ３４に進む。
【００４８】
そして、ステップＳ３４において、転送モードの処理が開始され、ステップＳ３５に進む。その後、ステップＳ３５において、テーブル１２ａ（図４参照）からＳＩＭＮｏ．０（たとえばユーザが持ち歩いている携帯電話機２の携帯電話番号Ｄ）が検索され、ステップＳ３６において、ＳＩＭＮｏ．０が登録されているか否かが判断される。つまり、ユーザに転送すべき転送先の携帯電話番号存在するか否かが判断される。そして、ステップＳ３６において、ＳＩＭＮｏ．０が登録されていないと判断された場合には、後述するステップＳ３９に進む。また、ステップＳ３６において、ＳＩＭＮｏ．０が登録されていると判断された場合には、ステップＳ３７に進む。そして、ステップＳ３７において、自宅の固定電話番号Ｘを用いることによってＳＩＭＮｏ．０に登録された携帯電話番号（たとえばユーザが持ち歩いている携帯電話番号Ｄ）に転送発信が行われる。この場合、ＳＩＭＮｏ．０の携帯電話機（たとえばユーザが持ち歩いている携帯電話番号Ｄ）と自宅の固定電話番号Ｘとの通話を無料にするなど、料金を大幅に割引きできる契約を予めキャリア（たとえばキャリアＤ）などと結ぶことにより、他人相手からの着信を転送する場合にも、電話料金が発生しないため、電話料金の節約をすることが可能となる。
【００４９】
その後、ステップＳ３８において、ＳＩＭＮｏ．０（たとえばユーザが携帯している携帯電話機２の携帯電話番号Ｄ（図２参照））と発信者（たとえば図３の相手）の携帯電話機（たとえば携帯電話機３０（図２参照））とが接続され、通話が継続しているか否かが判断される。そして、この判断は、通話が終了されるまで繰り返され、通話が終了されたと判断された場合には、転送発信する際におけるＣＰＵ１１の処理フローが終了される。
【００５０】
また、上記のようにステップＳ３３において発信者の携帯電話機のキー（図示せず）が「♯１」と操作されていないと判断された場合、または、ステップＳ３６においてＳＩＭＮｏ．０が登録されていないと判断された場合には、ステップＳ３９において、発信者からの着信がアナログ電話機３に転送され、ステップＳ３８に進む。その後、上記と同様、ステップＳ３８において、ＳＩＭＮｏ．０（たとえばユーザが持ち歩いている携帯電話機２の携帯電話番号Ｄ（図２参照））と発信者（たとえば図３の相手）の携帯電話機（たとえば携帯電話機３０（図２参照））とが接続され、通話が継続しているか否かが判断される。そして、この判断は、通話が終了されるまで繰り返され、通話が終了されたと判断された場合には、転送発信する際におけるＣＰＵ１１の処理フローが終了される。
【００５１】
本実施形態では、上記のように、少なくともユーザが携帯している携帯電話機２からの着信の際に、ユーザにより入力された転送先の電話番号が属するキャリア（電話会社）と同じキャリア（電話会社）を予め設定された複数のキャリアの中から識別するＣＰＵ１１を設けることによって、ユーザが転送先の電話番号がいずれの電話会社に属するか分からない場合にも、転送先の電話番号が属するキャリアと同じキャリアを自動的に識別して接続するべき電話会社を決定することができる。これにより、発信時に、最適なキャリアを選択して転送発信することができる。その結果、ユーザが同一のキャリア間での通話の割引サービスを受けている場合に、通話料金を低減することができる。また、複数のキャリアのそれぞれに属する電話番号を用いて発着信可能な３Ｇモジュール１８および１９を設けることによって、容易に、転送先の電話番号が属するキャリア（電話会社）と同一のキャリア（電話会社）の電話番号を選択して転送発信させることができる。
【００５２】
また、本実施形態では、上記のように、転送先の電話番号が予め設定された複数のキャリア（電話会社）のうちいずれのキャリア（電話会社）に属するかを識別するために、電話番号と、予め設定された複数のキャリアとが対応付けられたテーブル１２ａが記憶されたＲＯＭ１２を設けることによって、テーブル１２ａにより、容易に、転送先の電話番号が属するキャリアと同じキャリアを自動的に識別して接続するべき電話会社を決定することができる。
【００５３】
また、本実施形態では、上記のように、ＣＰＵ１１を、テーブル１２ａを用いて転送先の電話番号が複数のキャリア（電話会社）のうちいずれの電話会社に属するかを識別するとともに、テーブル１２ｂを用いて識別された転送先の電話番号が属するキャリアＡと同一のキャリアであるキャリアＡのユーザの電話番号（電話番号Ａ）を取得するように構成することによって、テーブル１２ｂにより、容易に、テーブル１２ａを用いて決定された転送先の電話番号の電話会社（キャリアＡ）と同一の電話会社の電話番号（電話番号Ａ）を取得することができる。
【００５４】
また、本実施形態では、上記のように、ＣＰＵ１１を、複数のキャリア（電話会社）のそれぞれに属するユーザの電話番号ＡまたはＢ宛の着信を３Ｇモジュール１８または１９が受けた場合に、複数のキャリアのそれぞれに属するユーザの電話番号ＡまたはＢ宛の着信を、ユーザが携帯している携帯電話機２に転送する制御を行うように構成することによって、ユーザが携帯している携帯電話機２の電話番号Ｄに直接的に電話されなかった場合にも、ユーザが携帯している携帯電話機２に転送されるので、ユーザが携帯している携帯電話機２で着信することができる。
【００５５】
また、本実施形態では、上記のように、ＣＰＵ１１を、３Ｇモジュール１８または１９にＳＩＭカード５１または５２が装着されている場合に、ＳＩＭカード５１または５２に対応する電話番号ＡまたはＢを使用して３Ｇモジュール１８または１９に発着信させることが可能なように構成することによって、３Ｇモジュール１８および１９にＳＩＭカード５１または５２を挿入するだけで、容易にＳＩＭカード５１または５２に対応する電話番号ＡまたはＢを使用することができるので、容易に３Ｇモジュール１８または１９を用いてＳＩＭカード５１または５２に対応する電話番号で発着信を行うことができる。
【００５６】
また、本実施形態では、上記のように、ＣＰＵ１１を、ユーザが携帯している携帯電話機２からの着信の後、ユーザにより「♯３」のキー操作が行われた場合に、ユーザにより入力された転送先の携帯電話番号を受け付けるとともに、転送先の電話番号が属するキャリアと同一のキャリアの電話番号を用いて３Ｇモジュール１８または１９に発信させる制御を行うように構成することによって、ユーザが転送したくない場合に、自動的に転送モードに切り替わることがないので、ユーザの意図と反して制御が行われるのを抑制することができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記実施形態では、ユーザの携帯電話機から自宅のアナログ電話機への着信の際に、転送先の電話番号が属する電話会社と同一の電話会社のユーザの電話番号を用いて転送発信させた例について示したが、本発明はこれに限らず、ユーザの携帯電話機のみならず、ユーザ以外の電話機からの着信の際にも、上記転送発信をさせるようにしてもよい。
【００５９】
また、上記実施形態では、３Ｇモジュールを電話交換装置に組み込むように構成した例について示したが、本発明はこれに限らず、市販の携帯電話機を３Ｇモジュールとするとともに、その携帯電話機と電話交換装置とをケーブルなどにより接続するように構成してもよい。
【００６０】
また、上記実施形態では、電話交換装置を自宅に設置する例について示したが、本発明はこれに限らず、自宅以外のたとえば企業などに設置してもよい。
【００６１】
また、上記実施形態では、携帯電話機２、ＳＩＭカード５１および５２は、それぞれ、ユーザ自身がキャリア（携帯電話会社）Ｄ、ＡおよびＢと契約することにより取得している例について示したが、本発明はこれに限らず、ユーザ自身ではなく、ユーザの家族などのユーザの関係者が携帯電話機２、ＳＩＭカード５１および５２をキャリア（携帯電話会社）Ｄ、ＡおよびＢと契約して取得するようにしてもよい。
【００６２】
また、上記実施形態では、電話交換装置とアナログ電話機とを別体にした例について示したが、本発明はこれに限らず、電話交換装置に受話器などを設けることにより、電話交換装置で直接的に受話可能に構成してもよい。
【００６３】
また、上記実施形態では、ユーザなどの操作により転送モードに移行される例について示したが、本発明はこれに限らず、ユーザなどの操作がなくとも自動的に転送モードに移行されるようにしてもよい。
【符号の説明】
【００６４】
１  電話交換装置
２  携帯電話機（ユーザが携帯している携帯電話機）
１１  ＣＰＵ（制御部）
１２  ＲＯＭ（記憶部）
１２ａ  テーブル（第１テーブル）
１２ｂ  テーブル（第２テーブル）
１８、１９  ３Ｇモジュール（発着信モジュール）
５１、５２  ＳＩＭカード（電話認識カード）
１００  電話交換システム
【図１】
2010283639.tif 000003
【図２】
2010283639.tif 000004
【図３】
2010283639.tif 000005
【図４】
2010283639.tif 000006
【図５】
2010283639.tif 000007
【図６】
2010283639.tif 000008
【図７】
2010283639.tif 000009
【図８】
2010283639.tif 000010